(57)【要約】【課題】つまみ部を有するボルトを用いて機器を取付部材に固定する場合であっても、容易にボルトが弛むことのない機器の取付構造を提供する。【解決手段】ボルト６を用いて表示装置１（機器）を取付部材４に固定する取付構造であって、ボルト６はねじ部１４と、合成樹脂製のつまみ部１５と、このつまみ部１５とねじ部１４との間に六角柱部１６（角柱部）を有し、つまみ部１５は六角柱部１６の一端側と一体形成されている。ボルト６はつまみ部１５を手で回して締め付けた後、工具で六角柱部１６を回して増し締めする。【選択図】図１
2005273701.tif 000002
【特許請求の範囲】
【請求項１】
ボルトを用いて機器を取付部材に固定する取付構造であって、前記ボルトはねじ部と、つまみ部と、このつまみ部と前記ねじ部との間に角柱部とを有することを特徴とする機器の取付構造。
【請求項２】
ボルトを用いて機器を取付部材に固定する取付構造であって、前記ボルトはねじ部と、合成樹脂製のつまみ部と、このつまみ部と前記ねじ部との間に角柱部とを有し、前記つまみ部は前記角柱部の一端側と一体形成されていることを特徴とする機器の取付構造。
【請求項３】
前記ボルトを弛めることによって、前記機器が前記取付部材に対して回動または移動可能となることを特徴とする請求項１または請求項２に記載の機器の取付構造。
【発明の詳細な説明】
【技術分野】
【０００１】
本発明は、例えば車両や船舶等に搭載される表示装置などの種々の機器を取付部材に固定するための取付構造に関するものである。
【背景技術】
【０００２】
従来、この種の取付構造として、例えば下記特許文献１に記載のものが知られている。特許文献１における機器の取付構造は、機器としての例えばカーナビ用ディスプレイ装置１１を支持プレート４０を介して締付ボルト５３とトルク調整ノブ５５を用いて取付プレート３０に取付固定するものである。また、支持プレート４０および取付プレート３０に球面接合部が設けられているため、トルク調整ノブ５５を手で弛めたり、締め付けたりするだけでカーナビ用ディスプレイ装置１１の角度調整が容易に行え、使い勝手も良好であるというものである。
【特許文献１】特開平１０−３１８４８９号公報
【発明の開示】
【発明が解決しようとする課題】
【０００３】
しかしながら、上記特許文献１における機器の取り付けにおいては、トルク調整ノブ５５（ボルト）を強固に締め付けてトルク力を強めれば、カーナビ用ディスプレイ装置１１（機器）を所定角度で堅個に保持できるとはいうものの、手でトルク調整ノブ５５を締め付ける際の締め付け力にも限度があり、振動などが加わった場合にトルク調整ノブ５５が弛んでしまってカーナビ用ディスプレイ装置１１が設定外の方向へ傾いてしまう虞がある。
【０００４】
本発明はこの様な点に鑑みなされたもので、つまみ部を有するボルトを用いて機器を取付部材に固定する場合であっても、容易にボルトが弛むことのない機器の取付構造を提供することを目的とする。
【課題を解決するための手段】
【０００５】
本発明は前記目的を達成するため、ボルトを用いて機器を取付部材に固定する取付構造であって、前記ボルトはねじ部と、つまみ部と、このつまみ部と前記ねじ部との間に角柱部とを有するものである。
【０００６】
また、ボルトを用いて機器を取付部材に固定する取付構造であって、前記ボルトはねじ部と、合成樹脂製のつまみ部と、このつまみ部と前記ねじ部との間に角柱部とを有し、前記つまみ部は前記角柱部の一端側と一体形成されているものである。
【０００７】
また、前記ボルトを弛めることによって、前記機器が前記取付部材に対して回動または移動可能となるものである。
【発明の効果】
【０００８】
つまみ部を有するボルトを用いて機器を取付部材に固定する場合であっても、容易にボルトが弛むことのない機器の取付構造を提供できる。
【発明を実施するための最良の形態】
【０００９】
本発明を車両用の表示装置に適用した実施形態として説明する。図１は表示装置と取付部材の取付構造を示す断面図である。図２は表示装置と取付部材の取付構造を示す裏面図である。図３はボルトをねじ部側から見た図である。
【００１０】
機器としての表示装置１は、詳細は図示しないが、車両の速度や走行距離などを表示する表示器が合成樹脂製の上ケース２と下ケース３から構成されるケース内に収納されたものである。この表示装置１は、その中央箇所が車体側に取り付けられる取付部材４に支持部材５を介してボルト６で固定されるようになっている。
【００１１】
支持部材５は剛性を有する亜鉛，鉄，アルミニウムなどの金属からなり、下ケース３に固定されるようになっている。この支持部材５の中央部（表示装置１の中央でもある）は中空Ｓを有する半球状部７としてある。すなわち、取付部材４と重なる（接する）面は凸球面８となっている。また、半球状部７の中央には大きめの丸穴９が設けてある。
【００１２】
取付部材４も支持部材５と同様に剛性を有する亜鉛，鉄，アルミニウムなどの金属からなる。そして、支持部材５と重なる受部１０の支持部材５側の面は、支持部材５の凸球面８と一致した凹球面１１としてあり、凹球面１１とは反対側の面は平面１２としてある。また、受部１０の中央には貫通孔１３が設けてある。
【００１３】
ボルト６は一端に雄ねじであるねじ部１４と、他端に合成樹脂製のつまみ部１５と、このつまみ部１５とねじ部１４との間にねじ部１４より径大の角柱部としての六角柱部１６とを有する。つまみ部１５は六角柱部１６の一端側（ねじ部１４側とは反対側）と一体形成されている。ねじ部１４と六角柱部１６は金属からなり、つまみ部１５は合成樹脂からなる。このつまみ部１５は手で回しやすい様に設けてあると共に、径大な形状としてある。
【００１４】
１７は支持部材５の半球状部７の中空Ｓ内に配置される金属製のナットであり、ボルト６のねじ部１４（雄ねじ）と螺合する雌ねじ１８が設けてある。
【００１５】
表示装置１と取付部材４とを固定する方法について説明する。支持部材５を下ケース３にビス１９を用いて取付固定する。この際、下ケース３と半球状部７との間の中空Ｓ内にナット１７が動かない様に固定されるものとする。次に、取付部材４の受部１０を支持部材５の半球状部７に重ねた状態で受部１０の平面１２側から貫通孔１３および丸穴９にボルト６のねじ部１４を挿入して、ナット１７の雌ねじ１８にねじ締めする。この際、受部１０の平面１２とボルト６の六角柱部１６との間に平座金２０とバネ座金２１を挿入する。この平座金１８とバネ座金１９は無くても良いが、有った方がボルト６の弛みに対する効果がある。なお、支持部材５と取付部材４とをボルト６とナット１７とで締め付け固定した後、支持部材５を下ケース３にビス１９を用いて取付固定しても良い。
【００１６】
ボルト６のねじ部１４をナット１７の雌ねじ１８にねじ締めする際はつまみ部１５を手で回して締め付けるが、振動などが加わってもボルト６が容易に弛まない様にするためには、工具を用いて六角柱部１６を回して強固に締め付ければ良い。そのための六角柱部１６である。従って、六角柱部１６はねじ部１４が形成される軸部分とつまみ部１５との間の全範囲に渡って形成する必要はなく、少なくとも工具で回せる範囲があれば良い。
【００１７】
この様に、ボルト６のねじ部１４とつまみ部１５との間に六角柱部１６を設けたことにより、標準規格品であって誰もが入手しやすい工具であるスパナを使用して増し締めが可能となる。このことは、例えばユーザーが表示装置１の向きを変えたいと考えた場合、手でつまみ部１５を回してボルト６（ねじ部１４）を弛めようとするが、弛まなかった場合にはスパナを用いてボルト６を弛め、適宜な向きに設定した後につまみ部１５を手で回してボルト６を締め付ける。その後、表示装置１と取付部材４とを強固に固定したい場合にはスパナを使用して増し締めすれば良い。
【００１８】
また、前述した様に支持部材５と取付部材４とが球面同士で重なり合い、支持部材５の丸穴９がボルト６のねじ部１４の径より大きくしてあるために、ボルト６を弛めるだけで表示装置１の向きを任意に変更できる。従って、表示装置１の視認性が良好となる。
【００１９】
なお、本実施形態に於いては角柱部として六角柱部１６を有するボルト６としたが、断面が四角や八角などの角柱部であっても良い。その場合は、例えばモンキーレンチを用いて角柱部を回すようにすれば良い。また、ボルト６のねじ部１４を雄ねじとしたが雌ねじとし、相手側を雄ねじとしても良い。また、つまみ部１５を合成樹脂としたが、ねじ部１４や六角柱部１６と一体物であっても良い。但し、一体物であるとボルト６が重くなると共にコストアップとなるため、合成樹脂の方が良い。
【００２０】
また、支持部材５と取付部材４とを球面同士で重ねて表示装置１が自在に回動するように構成したが、平面板同士の突き当てとし、平面的な回動（回転）であるようにしても良い。あるいは、回動（回転）ではなく、取付部材４に対して表示装置１が直線的に移動するような構造であっても良い。なお、支持部材５は必ずしも設ける必要はなく、下ケース３と取付部材４との間で同様な構造を採用するようにしても良い。
【００２１】
また、取付部材４に対して表示装置１が回動（回転）もしくは移動可能となっていなくとも良く、例えば表示装置１あるいは取付部材４をユーザーの好みに応じて交換するような場合においても、本発明の取付構造としておくことにより、交換作業が容易であると共に、交換後の表示装置１を確実に取付部材４に取付固定できるものである。
【図面の簡単な説明】
【００２２】
【図１】本発明の表示装置と取付部材の取付構造の実施形態を示す断面図。
【図２】同実施形態を示す裏面図。
【図３】同実施形態のボルトを示す裏面図。
【符号の説明】
【００２３】
１  表示装置（機器）
４  取付部材
５  支持部材
６  ボルト
１４  ねじ部
１５  つまみ部
１６  六角柱部（角柱部）
【図１】
2005273701.tif 000003
【図２】
2005273701.tif 000004
【図３】
2005273701.tif 000005